(57)【要約】【課題】吹出口から吹き出す作動気流の空気の引き込み作用を抑えて、作動気流の到達距離を長くすることが可能な空気吹出装置を提供する。【解決手段】  吹出対象２へ向けて作動気流を吹き出す空気吹出装置１は、作動気流を通過させるための流路１８を形成するダクト部１４を備える。ダクト部１４は、空気流れ下流側に作動気流の吹出口となる吹出穴１０を形成する穴形成部１２を有している。穴形成部１２は、作動気流によって吹出穴１０の出口下流側に発生する横渦とは渦の回転方向および渦軸の方向を含む渦特性が異なる補助渦を発生させる渦発生構造２０を備えている。渦発生構造２０は、補助渦が渦の回転方向および渦軸の方向の少なくとも一方が横渦と異なる渦特性を有する状態で、横渦に衝突するように穴形成部１２に形成されている【選択図】図１
2020067267.tif 000002
【特許請求の範囲】
【請求項１】
空気吹出装置であって、
吹出対象（２）へ向けて吹き出す作動気流を通過させるための流路（１８）を形成するダクト部（１４）と、
前記ダクト部の空気流れ下流側に前記作動気流の吹出口となる吹出穴（１０）を形成する穴形成部（１２）と、を備え、
前記穴形成部は、前記作動気流によって前記吹出穴の出口下流側に発生する横渦とは渦の回転方向および渦軸の方向を含む渦特性が異なる補助渦を発生させる渦発生構造（２０）を有し、
前記渦発生構造は、前記補助渦が渦の回転方向および渦軸の方向の少なくとも一方が前記横渦と異なる前記渦特性を有する状態で、前記横渦に衝突するように前記穴形成部に形成されている空気吹出装置。
【請求項２】
前記渦発生構造は、前記穴形成部のうち前記吹出穴を囲む周縁部（１００）に沿って並んで形成される複数の補助穴（２０２）を含み、複数の前記補助穴から吹き出される気流によって、渦の回転方向および渦軸の方向の少なくとも一方が前記横渦とは異なる複数の前記補助渦が発生する構造になっている請求項１に記載の空気吹出装置。
【請求項３】
前記穴形成部のうち前記吹出穴を囲む周縁部は、所定の間隔をあけた状態で対向して延びる第１縁部（１０２ａ）および第２縁部（１０２ｂ）と、前記第１縁部および前記第２縁部それぞれの一端同士を接続する第３縁部（１０４ａ）と、前記第１縁部および前記第２縁部それぞれの他端同士を接続する第４縁部（１４０ｂ）とを有し、
前記第１縁部および前記第２縁部は、前記第３縁部と前記第４縁部との間隔よりも小さい間隔で対向する一対の長縁部を構成しており、
前記第３縁部および前記第４縁部は、前記第１縁部と前記第２縁部との間隔よりも大きい間隔で対向する一対の短縁部を構成しており、
複数の前記補助穴は、前記穴形成部における前記吹出穴を囲む周縁部のうち、前記一対の長縁部の縁側に比べて、前記一対の短縁部の縁側で複数の前記補助渦が発生し難くなるように、前記一対の長縁部の縁側に偏って形成されている請求項２に記載の空気吹出装置。
【請求項４】
前記吹出穴は、扁平な開口形状を有し、
前記穴形成部のうち前記吹出穴を囲む周縁部は、前記吹出穴の短軸の方向に対向する一対の長縁部（１０２）および長軸の方向に対向するものであって、前記一対の長縁部に連なるとともに前記一対の長縁部よりも長さが小さい一対の短縁部（１０４）を含んでおり、
複数の前記補助穴は、前記穴形成部における前記吹出穴を囲む周縁部のうち、前記一対の長縁部の縁側に比べて、前記一対の短縁部の縁側で複数の前記補助渦が発生し難くなるように、前記一対の長縁部の縁側に偏って形成されている請求項２に記載の空気吹出装置。
【請求項５】
複数の前記補助穴は、前記一対の長縁部の縁側に形成され、前記一対の短縁部の縁側に形成されていない請求項３または４に記載の空気吹出装置。
【請求項６】
前記渦発生構造は、前記穴形成部のうち前記吹出穴を囲む周縁部に沿って、凹部（２０６）と凸部（２０８）とが交互に並んで形成される複数の凹凸部（２０４）を含み、前記凹凸部の間を気流が通過する際に、渦の回転方向および渦軸の方向の少なくとも一方が前記横渦とは異なる前記補助渦が発生する構造になっている請求項１ないし５のいずれか１つに記載の空気吹出装置。
【請求項７】
前記穴形成部のうち前記吹出穴を囲む周縁部は、所定の間隔をあけた状態で対向して延びる第１縁部（１０２ａ）および第２縁部（１０２ｂ）と、前記第１縁部および前記第２縁部それぞれの一端同士を接続する第３縁部（１０４ａ）と、前記第１縁部および前記第２縁部それぞれの他端同士を接続する第４縁部（１４０ｂ）とを有し、
前記第１縁部および前記第２縁部は、前記第３縁部と前記第４縁部との間隔よりも小さい間隔で対向する一対の長縁部を構成しており、
前記第３縁部および前記第４縁部は、前記第１縁部と前記第２縁部との間隔よりも大きい間隔で対向する一対の短縁部を構成しており、
複数の前記凹凸部は、前記穴形成部における前記吹出穴を囲む周縁部のうち、前記一対の長縁部の縁側に比べて、前記一対の短縁部の縁側で複数の前記補助渦が発生し難くなるように、前記一対の長縁部の縁側に偏って形成されている請求項６に記載の空気吹出装置。
【請求項８】
前記吹出穴は、扁平な開口形状を有し、
前記穴形成部のうち前記吹出穴を囲む周縁部は、前記吹出穴の短軸の方向に対向する一対の長縁部（１０２）および長軸の方向に対向するものであって、前記一対の長縁部に連なるとともに前記一対の長縁部よりも長さが小さい一対の短縁部（１０４）を含んでおり、
複数の前記凹凸部は、前記穴形成部における前記吹出穴を囲む周縁部のうち、前記一対の長縁部の縁側に比べて、前記一対の短縁部の縁側で複数の前記補助渦が発生し難くなるように、前記一対の長縁部の縁側に偏って形成されている請求項６に記載の空気吹出装置。
【請求項９】
複数の前記凹凸部は、前記一対の長縁部に形成され、前記一対の短縁部に形成されていない請求項７または８に記載の空気吹出装置。
【請求項１０】
複数の前記凹凸部は、前記吹出穴の内側に向けて突き出るとともに、板状に形成される請求項６ないし９のいずれか１つに記載の空気吹出装置。
【請求項１１】
複数の前記凹凸部は、空気流れ下流側の板面が、前記穴形成部のうち前記吹出穴を囲む周縁部を形成する部位の空気流れ下流側の端面と面一になっている請求項１０に記載の空気吹出装置。
【請求項１２】
空気吹出装置であって、
吹出対象（２）へ向けて吹き出す作動気流を通過させるための流路（１８）を形成するダクト部（１４）と、
前記ダクト部の空気流れ下流側に前記作動気流の吹出口となる吹出穴（１０）を形成する穴形成部（１２）と、
前記作動気流によって前記吹出穴の出口下流側に発生する横渦とは渦の回転方向および渦軸の方向を含む渦特性が異なる補助渦を発生させる渦発生構造（２０）と、を備え、
前記渦発生構造は、前記穴形成部のうち前記吹出穴を囲む周縁部（１００）に沿って並んで配置される複数の渦発生体（２２）を含み、前記渦発生体の周囲を気流が通過する際に、渦の回転方向および渦軸の方向の少なくとも一方が前記横渦とは異なる前記補助渦が発生する構造になっている空気吹出装置。
【請求項１３】
複数の前記渦発生体は、前記穴形成部のうち前記吹出穴を囲む周縁部に対して直に接しないように、前記吹出穴の内側において支持部（２３、２４）によって支持されている請求項１２に記載の空気吹出装置。
【請求項１４】
前記穴形成部のうち前記吹出穴を囲む周縁部は、所定の間隔をあけた状態で対向して延びる第１縁部（１０２ａ）および第２縁部（１０２ｂ）と、前記第１縁部および前記第２縁部それぞれの一端同士を接続する第３縁部（１０４ａ）と、前記第１縁部および前記第２縁部それぞれの他端同士を接続する第４縁部（１４０ｂ）とを有し、
前記第１縁部および前記第２縁部は、前記第３縁部と前記第４縁部との間隔よりも小さい間隔で対向する一対の長縁部を構成しており、
前記第３縁部および前記第４縁部は、前記第１縁部と前記第２縁部との間隔よりも大きい間隔で対向する一対の短縁部を構成しており、
複数の前記渦発生体は、前記穴形成部における前記吹出穴を囲む周縁部のうち、前記一対の長縁部の縁側に比べて、前記一対の短縁部の縁側で複数の前記補助渦が発生し難くなるように、前記一対の長縁部の縁側に偏って形成されている請求項１２または１３に記載の空気吹出装置。
【請求項１５】
複数の前記渦発生体は、前記一対の長縁部の縁側に形成され、前記一対の短縁部の縁側に形成されていない請求項１２ないし１４のいずれか１つに記載の空気吹出装置。
【請求項１６】
複数の前記渦発生体は、前記吹出穴の開口方向に厚みを有する板状部材で構成されている請求項１２ないし１５のいずれか１つに記載の空気吹出装置。
【請求項１７】
複数の前記渦発生体は、空気流れ下流側の板面が、前記穴形成部のうち前記吹出穴を囲む周縁部を形成する部位の空気流れ下流側の端面と面一になっている請求項１６に記載の空気吹出装置。
【発明の詳細な説明】
【技術分野】
【０００１】
本開示は、気流を吹き出す空気吹出装置に関する。
【背景技術】
【０００２】
従来、作動気流となる気流の到達距離を長くするために、作動気流を形成する吹出口の周辺に、作動気流に引き込まれる空気の引き込みを阻む援護気流を形成する補助吹出口が設けられたエアーノズルが知られている（例えば、特許文献１参照）。
【先行技術文献】
【特許文献】
【０００３】
【特許文献１】特開平８−３１８１７６号公報
【発明の概要】
【発明が解決しようとする課題】
【０００４】
本発明者らは、作動気流の到達距離をさらに長くするために、吹出口から作動気流を吹き出した際の空気の引き込み作用について、鋭意検討した。この結果、空気の引き込み作用は、吹出口から作動気流を吹き出した際、作動気流の速度勾配によるせん断力によって発生する横渦に起因することが分かった。横渦とは、作動気流の流れ方向に直交する渦の中心を有する渦である。渦の中心を以下、渦軸とも呼ぶ。
【０００５】
本発明者らがさらに検討したところ、吹出口の出口下流付近では、速度境界層に発生する無数の横渦が合成して大規模なものに発達することで、空気の引き込み作用がより強くなるとの知見を得た。
【０００６】
しかしながら、上述の従来技術では、吹出口の周囲に補助吹出口を設けることが開示されているだけで、本発明者らの知見については何ら示されておらず、気流の到達距離の更なる向上を見込むことが困難である。
【課題を解決するための手段】
【０００７】
請求項１に記載の発明は、空気吹出装置であって、吹出対象へ向けて吹き出す作動気流を通過させるための流路を形成するダクト部と、ダクト部の空気流れ下流側に作動気流の吹出口となる吹出穴を形成する穴形成部と、を備える。穴形成部は、作動気流によって吹出穴の出口下流側に発生する横渦とは渦の回転方向および渦軸の方向を含む渦特性が異なる補助渦を発生させる渦発生構造を有し、渦発生構造は、補助渦が渦の回転方向および渦軸の方向の少なくとも一方が横渦と異なる渦特性を有する状態で、横渦に衝突するように穴形成部に形成されている。
【０００８】
請求項１２に記載の発明は、空気吹出装置であって、
吹出対象（２）へ向けて吹き出す作動気流を通過させるための流路（１８）を形成するダクト部（１４）と、
ダクト部の空気流れ下流側に作動気流の吹出口となる吹出穴（１０）を形成する穴形成部（１２）と、
作動気流によって吹出穴の出口下流側に発生する横渦とは渦の回転方向および渦軸の方向を含む渦特性が異なる補助渦を発生させる渦発生構造（２０）と、を備え、
渦発生構造は、穴形成部のうち吹出穴を囲む周縁部（１００）に沿って並んで配置される複数の渦発生体（２２）を含み、渦発生体の周囲を気流が通過する際に、渦の回転方向および渦軸の方向の少なくとも一方が横渦とは異なる補助渦が発生する構造になっている。
【０００９】
このように構成される空気吹出装置では、吹出穴から気流が吹き出されると、吹出穴の出口下流には作動気流によって横渦が発生する。また、当該空気吹出装置では、吹出穴から気流が吹き出されると、渦発生構造によって補助渦が発生する。横渦および補助渦は異なる渦特性を有するため、横渦および補助渦が衝突すると、横渦の発達が抑制される。その結果、作動気流に引き込まれる空気の引き込み作用が抑制され、作動気流の流速の減衰が小さくなるため、吹出穴から吹き出す作動気流の到達距離が長くなる。
【００１０】
なお、各構成要素等に付された括弧付きの参照符号は、その構成要素等と後述する実施形態に記載の具体的な構成要素等との対応関係の一例を示すものである。
【図面の簡単な説明】
【００１１】
【図１】第１実施形態に係る空気吹出装置の模式的な斜視図である。
【図２】第１実施形態に係る空気吹出装置の模式的な正面図である。
【図３】図２のＩＩＩ−ＩＩＩ断面図である。
【図４】第１比較例となる第１吹出口の出口下流における気流の速度勾配を説明するための説明図である。
【図５】第１比較例となる第１吹出口の出口下流における横渦および作動気流の状態を説明するための説明図である。
【図６】第１実施形態に係る空気吹出装置の吹出穴の出口下流における気流の速度勾配を説明するための説明図である。
【図７】第１実施形態に係る空気吹出装置の吹出穴の出口下流における横渦および補助渦の状態を説明するための説明図である。
【図８】第２実施形態に係る空気吹出装置の模式的な斜視図である。
【図９】第２実施形態に係る空気吹出装置の模式的な正面図である。
【図１０】第２比較例となる第２吹出口の出口下流における作動気流のポテンシャルコアを説明するための説明図である。
【図１１】第３実施形態に係る空気吹出装置の模式的な斜視図である。
【図１２】第３実施形態に係る空気吹出装置の模式的な正面図である。
【図１３】第３実施形態に係る空気吹出装置において、穴形成部の短縁部側の補助穴がある場合とない場合で、作動気流到達率へ及ぼす影響を比較した図面である。
【図１４】第３実施形態に係る空気吹出装置において、穴形成部の短縁部側の補助穴がある場合とない場合で、空力騒音低減効果を比較した図面である。
【図１５】第３実施形態の第１変形例に係る空気吹出装置の模式的な正面図である。
【図１６】第３実施形態の第２変形例に係る空気吹出装置の模式的な正面図である。
【図１７】第４実施形態に係る空気吹出装置の模式的な斜視図である。
【図１８】第４実施形態に係る空気吹出装置の模式的な正面図である。
【図１９】図１８のＸＩＸ−ＸＩＸ断面図である。
【図２０】第４実施形態に係る空気吹出装置の吹出穴の出口下流における気流の速度勾配を説明するための説明図である。
【図２１】第４実施形態に係る空気吹出装置の吹出穴の出口下流における横渦と補助渦の状態を説明するための説明図である。
【図２２】第４実施形態に係る空気吹出装置の渦発生構造の空気流れ下流における補助渦の状態を説明するための説明図である。
【図２３】第４実施形態の第１変形例に係る空気吹出装置の模式的な正面図である。
【図２４】第４実施形態の第２変形例に係る空気吹出装置の模式的な正面図である。
【図２５】第４実施形態の第３変形例に係る空気吹出装置の模式的な正面図である。
【図２６】第４実施形態の第４変形例に係る空気吹出装置の模式的な正面図である。
【図２７】図２６のＸＸＶＩＩ−ＸＸＶＩＩ断面図である。
【図２８】第４実施形態の第５変形例に係る空気吹出装置の模式的な正面図である。
【図２９】図２８のＸＸＩＸ−ＸＸＩＸ断面図である。
【図３０】第５実施形態に係る空気吹出装置の模式的な正面図である。
【図３１】図３０のＸＸＸＩ−ＸＸＸＩ断面図である。
【図３２】第５実施形態に係る渦発生体の模式的な斜視図である。
【図３３】第５実施形態に係る渦発生体の下流に形成される補助渦を説明するための説明図である。
【図３４】第５実施形態の第１変形例に係る空気吹出装置の模式的な正面図である。
【図３５】図３４のＸＸＸＶ−ＸＸＸＶ断面図である。
【図３６】第５実施形態の第２変形例に係る空気吹出装置の模式的な正面図である。
【図３７】第５実施形態の第３変形例に係る空気吹出装置の模式的な正面図である。
【図３８】第５実施形態の第４変形例に係る空気吹出装置の模式的な正面図である。
【図３９】図３８のＸＸＸＩＸ−ＸＸＸＩＸ断面図である。
【図４０】第５実施形態の第５変形例に係る空気吹出装置の模式的な正面図である。
【図４１】第５実施形態の第１変形例となる渦発生体の模式的な斜視図である。
【図４２】第５実施形態の第２変形例となる渦発生体の模式的な斜視図である。
【図４３】第５実施形態の第３変形例となる渦発生体の模式的な斜視図である。
【図４４】第５実施形態の第４変形例となる渦発生体の模式的な斜視図である。
【図４５】第６実施形態に係る空気吹出装置の吹出穴の開口形状を説明するための説明図である。
【図４６】第６実施形態の第１変形例となる吹出穴を説明するための説明図である。
【図４７】第６実施形態の第２変形例となる吹出穴を説明するための説明図である。
【図４８】第６実施形態の第３変形例となる吹出穴を説明するための説明図である。
【図４９】第６実施形態の第４変形例となる吹出穴を説明するための説明図である。
【図５０】第６実施形態の第５変形例となる吹出穴を説明するための説明図である。
【図５１】第６実施形態の第６変形例となる吹出穴を説明するための説明図である。
【発明を実施するための形態】
【００１２】
以下、本開示の実施形態について図面を参照して説明する。なお、以下の実施形態において、先行する実施形態で説明した事項と同一もしくは均等である部分には、同一の参照符号を付し、その説明を省略する場合がある。また、実施形態において、構成要素の一部だけを説明している場合、構成要素の他の部分に関しては、先行する実施形態において説明した構成要素を適用することができる。以下の実施形態は、特に組み合わせに支障が生じない範囲であれば、特に明示していない場合であっても、各実施形態同士を部分的に組み合わせることができる。
【００１３】
（第１実施形態）
本実施形態について、図１〜図７を参照して説明する。本実施形態の空気吹出装置１は、車室内を空調する空調ユニットの空気吹出口に適用される。そして、空調ユニットの吹出口は、インストルメントパネルやインストルメントパネルの内側に設けられている。
【００１４】
図１〜図３に示すように、空気吹出装置１は、吹出対象２に向けて吹き出す作動気流Ｗａｆを通過させるための流路１８を形成するダクト部１４と、作動気流Ｗａｆの吹出口となる吹出穴１０を形成する穴形成部１２と、フランジ部４０と、を含んで構成されている。
【００１５】
ダクト部１４は、筒状の部材である。ダクト部１４は、その空気流れ上流の部位が図示しない空調ユニットの空気吹出口に嵌合され、空気流れ下流側の部位が穴形成部１２の外周に連なっている。また、ダクト部１４の内部には、流路１８が形成されている。
【００１６】
穴形成部１２は、ダクト部１４の空気流れ下流側に位置付けられている。穴形成部１２は、空気を吹き出すことが可能なように筒状に構成されている。
【００１７】
吹出穴１０は、穴形成部１２の端部に単一の穴として開口している。この吹出穴１０は、作動気流Ｗａｆを吹き出すために、吹出対象２に向けて開口する開口形状を有している。
【００１８】
吹出穴１０の開口形状は、扁平形状である。ここで、扁平形状とは、短軸Ｓｓの方向に対向する一対の長縁部１０２と、長軸Ｌｓの方向に対向する一対の短縁部１０４とが連なっている構成される形状である。短軸Ｓｓは、長軸Ｌｓと直交している。吹出穴１０は、短縁部１０４が長縁部１０２よりも長さが短くなって形成されている。なお、短軸Ｓｓは、対向する長縁部１０２のそれぞれの中心点を通過する中心線で、長軸Ｌｓは、対向する短縁部１０４のそれぞれの中心点を通過する中心線である。
【００１９】
扁平形状は、例えば、円弧および直線を結合した形状からなる長円形状、曲率半径の大きい円弧および曲率半径の小さい円弧を結合した曲線形状からなる楕円形状、直線を結合した六角形等の多角形状、角部が丸められた長方形状等の形状を包含する。また、長縁部１０２および短縁部１０４の形状は直線や円弧に限定されず、凹凸があるものでもよい。
【００２０】
図２に示すように、吹出穴１０の開口形状は、短軸Ｓｓの方向において直線状に延びる一対の長縁部１０２と、長軸Ｌｓの方向において円弧状に延びる一対の短縁部１０４とが連なって形成されている。短縁部１０４は、略半円の円弧であり、その直径が長縁部１０２より長さが小さくなっている。
【００２１】
より具体的には、吹出穴１０を囲む周縁部１００は、所定の間隔をあけた状態で互いに対向する第１縁部１０２ａおよび第２縁部１０２ｂと、第１縁部１０２ａおよび第２縁部１０２ｂの両端を接続する第３縁部１０４ａおよび第４縁部１０４ｂで構成されている。第３縁部１０４ａは、第１縁部１０２ａおよび第２縁部１０２ｂの一端同士を接続する部位である。また、第４縁部１０４ｂは、第１縁部１０２ａおよび第２縁部１０２ｂの他端同士を接続する部位である。
【００２２】
第１縁部１０２ａおよび第２縁部１０２ｂは、一定の間隔をあけた状態で直線状に延びている。第１縁部１０２ａおよび第２縁部１０２ｂは、縁に沿う長さが第３縁部１０４ａおよび第４縁部１０４ｂよりも長くなるとともに、第３縁部１０４ａと第４縁部１０４ｂとの間隔よりも小さい間隔で対向している。第１縁部１０２ａおよび第２縁部１０２ｂは、上述の一対の長縁部１０２を構成する。
【００２３】
また、第３縁部１０４ａおよび第４縁部１０４ｂは、円弧状に湾曲している。第３縁部１０４ａおよび第４縁部１０４ｂは、縁に沿う長さが第１縁部１０２ａおよび第２縁部１０２ｂよりも短くなるとともに、第１縁部１０２ａと第２縁部１０２ｂとの間隔よりも大きい間隔で対向している。第３縁部１０４ａおよび第４縁部１０４ｂは、上述の一対の短縁部１０４を構成する。
【００２４】
穴形成部１２は、渦発生構造２０として、複数の補助穴２０２が形成されている。具体的には、複数の補助穴２０２は、一対の長縁部１０２および一対の短縁部１０４に沿って、吹出穴１０の周縁部１００の全体に一定の間隔をあけて並んで形成されている。
【００２５】
補助穴２０２の開口部の面積は、吹出穴１０の開口部の面積に比べて小さい。また、補助穴２０２の形状は、円形状である。図３に示すように、補助穴２０２は、流路１８の延伸方向に沿って、穴形成部１２の内部を貫通して形成されている。なお、穴形成部１２は、空気流れ上流側がフランジ部４０まで延伸するように形成されていてもよい。この場合、補助穴２０２は、穴形成部１２をフランジ部４０まで貫通して形成される。
【００２６】
フランジ部４０は、ダクト部１４の外周に対して、ダクト部１４から突き出るように設けられている。フランジ部４０は、角部が丸められた長方形状の部材で構成されている。フランジ部４０は、図示しないインストルメントパネルに対して取り付けるための部材である。フランジ部４０は、ダクト部１４の上流側の部位が空調ユニットの空気吹出口に嵌合された状態で、ビス等の連結部材によってインストルメントパネルに対して取り付けられる。なお、フランジ部４０には、角部をなす四隅付近にビス等の連結部材を通すための貫通穴４０２が設けられている。
【００２７】
空気吹出装置１を構成する穴形成部１２、ダクト部１４、フランジ部４０のそれぞれは、樹脂で構成されている。穴形成部１２、ダクト部１４、およびフランジ部４０は、射出成形等の成形技術によって一体に成形された一体成形物で構成されている。なお、穴形成部１２、ダクト部１４、およびフランジ部４０は、その一部が別体で構成されていてもよい。このように構成される空気吹出装置１は、前述したように、図示しないインストルメントパネルに設置される。
【００２８】
ここで、空気吹出装置１は、車室内の最前部に設置されたインストルメントパネルの内側の空調ユニットに取り付けられる。この場合、空調ユニットで温度調整された空調風は、空気吹出装置１から吹き出される。このときに、空調風は、車室内全体の空調に用いられるだけではなく、車室内の搭乗者に直接吹き出されることが求められることがある。この場合、車室内の最前列となる運転席の着座者に吹き出すだけでなく、後列となる後部座席の着座者にも吹き出す必要があり、作動気流Ｗａｆは到達距離を長くすることが求められる。
【００２９】
そのため、本発明者らは、作動気流Ｗａｆの到達距離が短くなる要因を検討した。そして、吹出穴１０の出口下流付近では、速度境界層ＢＬに発生する無数の横渦Ｖｔが合成して大規模なものに発達することで、空気の引き込み作用がより強くなることが、作動気流Ｗａｆの到達距離が短くなる要因の一つとなるとの知見を得た。
【００３０】
空気の引き込み作用は、作動気流Ｗａｆを吹き出した際に、作動気流Ｗａｆの速度勾配によるせん断力によって発生する横渦Ｖｔに起因する。以下、空気の引き込み作用および作動気流Ｗａｆによって発生する横渦Ｖｔについて、図４および図５を参照して説明する。
【００３１】
図４は、本実施形態の空気吹出装置１の第１比較例となる第１吹出口を示す模式図である。第１吹出口の吹出穴１０の開口形状は、円弧と直線を結合した形状からなる長円形状である。なお、第１比較例では、補助穴２０２に相当するものは、第１吹出口の穴形成部１２に設けられていない。
【００３２】
図４に示すように、ダクト部１４の吹出穴１０から気流が吹き出されると、吹出穴１０の出口下流において、吹出穴１０からの気流とその周囲で静止している空気との速度差に起因して速度境界層ＢＬが形成される。速度境界層ＢＬは、吹出穴１０から吹き出された気流のうち、静止した空気の影響を受ける層である。
【００３３】
速度境界層ＢＬでは、図５に示すように、速度勾配によるせん断力によって、無数の横渦Ｖｔが発生する。本発明者らの検討によれば、速度境界層ＢＬに発生する無数の横渦Ｖｔが合成して大規模なものに発達することで、空気の引き込み作用がより強くなることが分かっている。
【００３４】
本発明者らは、作動気流Ｗａｆの速度境界層ＢＬに発生する横渦Ｖｔに、横渦Ｖｔとは渦特性が異なる補助渦Ｖｓを、渦特性が異なる状態で衝突させることで、横渦Ｖｔの発達を抑制でき、作動気流Ｗａｆの到達距離を長くすることができると考えた。そこで、補助渦Ｖｓを発生させるための渦発生構造２０を穴形成部１２に形成することとした。
【００３５】
ここで、渦特性とは、渦の回転方向、渦軸の向き、渦の流れ速度、流体の粘性、渦の半径等を含む渦の流れ状態を示すものである。
【００３６】
第１実施形態に係る空気吹出装置１の吹出穴１０の出口下流における作動気流Ｗａｆの状態を図６および図７を参照して説明する。
【００３７】
本実施形態の空気吹出装置１では、空調ユニットで温度調整された空調風がダクト部１４に流入すると、空調風が流路１８を介して吹出穴１０および補助穴２０２に流れる。
【００３８】
図６に示すように、吹出穴１０から作動気流Ｗａｆが吹き出されると、吹出穴１０の出口下流に吹出穴１０の内壁面１１０に沿って、作動気流Ｗａｆの速度境界層ＢＬが形成される。これにより、吹出穴１０の出口下流に無数の横渦Ｖｔが発生する。
【００３９】
図７に示すように、吹出穴１０の出口下流に発生する無数の横渦Ｖｔは、作動気流Ｗａｆの流れ方向に交差する渦軸を有し、作動気流Ｗａｆの流れ方向と同じ方向であって、吹出穴１０の内側から外側に向かう回転方向を有する。
【００４０】
また、補助穴２０２から補助気流Ｓａｆが吹き出されると、補助穴２０２の出口下流側に補助穴２０２の内壁面２１０に沿って、補助気流Ｓａｆの速度境界層ＢＬが形成され、これにより無数の補助渦Ｖｓが発生する。
【００４１】
補助穴２０２の出口下流に発生する無数の補助渦Ｖｓは、作動気流Ｗａｆと同じ流れ方向である補助気流Ｓａｆの流れ方向に交差する渦軸を有し、補助気流Ｓａｆの流れ方向と同じ方向であって、補助穴２０２の内側から外側に向かう回転方向を有する。つまり、無数に発生する補助渦Ｖｓの一部は、横渦Ｖｔと渦特性のうち少なくとも渦の回転方向が異なる。
【００４２】
このため、補助穴２０２の出口下流である吹出穴１０の出口下流では、横渦Ｖｔに、横渦Ｖｔとは渦の回転方向が異なる補助渦Ｖｓが衝突する。横渦Ｖｔおよび補助渦Ｖｓが衝突すると、横渦Ｖｔが大きく乱れることで、横渦Ｖｔの合成が生じ難くなる。すなわち、吹出穴１０の出口下流に発生する横渦Ｖｔの発達が抑制される。この結果、作動気流Ｗａｆにおける空気の引き込み作用が抑えられるので、作動気流Ｗａｆは到達距離が長くなる。
【００４３】
以上、説明した空気吹出装置１では、穴形成部１２に形成した補助穴２０２によって、渦発生構造２０が実現されている。これにより、作動気流Ｗａｆに引き込まれる空気の引き込み作用が抑制され、作動気流Ｗａｆの流速の減衰が小さくなるため、作動気流Ｗａｆは到達距離が長くなる。
【００４４】
また、空調ユニットで温度調整された空調風を作動気流Ｗａｆとして吹出穴１０から吹き出す場合、作動気流Ｗａｆは周囲からの空気の引き込み作用が抑制されるので、作動気流Ｗａｆの温度変化を抑えることができる。すなわち、本実施形態の空気吹出装置１によれば、適温の気流を所望の場所に到達させることができるため、車室内におけるスポット的な空調を実現するうえで特に有効である。
【００４５】
（第２実施形態）
次に、第２実施形態について、図８〜図１０を参照して説明する。本実施形態では、複数の補助穴２０２が、長縁部１０２の縁側に偏って形成されている点で第１実施形態と相違している。本実施形態では、第１実施形態と異なる部分について主に説明し、第１実施形態と同様の部分については説明を省略することがある。
【００４６】
図８および図９に示すように、吹出穴１０の開口形状は、短軸Ｓｓの方向において直線状に延びる一対の長縁部１０２と、長軸Ｌｓの方向において円弧状に延びる一対の短縁部１０４とが連なって形成されている扁平な形状である。
【００４７】
また、吹出穴１０を囲む周縁部１００に沿って形成される複数の補助穴２０２の数は、一対の短縁部１０４の縁側に沿って形成される数と比較して、一対の長縁部１０２の縁側に沿って多く形成されている。つまり、穴形成部１２における複数の補助穴２０２の開口部の占める割合が、一対の短縁部１０４側の全体における所定面積あたりの割合と比較して、一対の長縁部１０２側の全体における所定面積あたりのほうが大きくなっている。
【００４８】
ここで、吹出穴１０の開口形状が扁平形状の場合、吹出穴１０から作動気流Ｗａｆが吹き出されると、短縁部１０４の出口下流および長縁部１０２の出口下流に横渦Ｖｔが発生する。そして、本発明者らが鋭意検討した結果、短縁部１０４の出口下流に発生する横渦Ｖｔは、長縁部１０２の出口下流に発生する横渦Ｖｔと比較して、作動気流Ｗａｆの到達距離へ及ぼす影響が小さいことが分かった。
【００４９】
このことは、長縁部１０２の出口下流に発生する横渦Ｖｔに比べて、短縁部１０４の出口下流に発生する横渦Ｖｔが、作動気流ＷａｆのポテンシャルコアＰから離れていることに起因すると考えられる。すなわち、作動気流Ｗａｆの到達距離は、長縁部１０２の出口下流に発生する横渦Ｖｔおよび短縁部１０４の出口下流に発生する横渦Ｖｔと、作動気流ＷａｆのポテンシャルコアＰからの距離に影響を受けると考えられる。このような考えによれば、長縁部１０２の出口下流に発生する横渦Ｖｔは、短縁部１０４の出口下流に発生する横渦Ｖｔと比較して、作動気流Ｗａｆの到達距離へ及ぼす影響が大きいといえる。
【００５０】
そこで、本発明者らは、複数の補助穴２０２が、長縁部１０２の縁側に偏って形成されていても、吹出穴１０の周縁部１００の全体に沿って補助穴２０２を形成した場合と同程度の作動気流Ｗａｆの到達距離が得られると考えた。
【００５１】
以下、ポテンシャルコアＰについて、図１０を参照して説明する。図１０は、第２比較例となる第２吹出口の出口下流における気流のポテンシャルコアＰを説明するための説明図である。第２吹出口の吹出穴１０の開口形状は、円弧と直線を結合した形状からなる長円形状で形成されている。第２吹出口の吹出穴１０の周縁部１００には、補助穴２０２は形成されていない。
【００５２】
図１０に示すように、作動気流Ｗａｆが吹出穴１０から吹き出されると、吹出穴１０の出口下流に吹出穴１０の周縁部１００に沿って、無数の横渦Ｖｔが発生する。そして横渦Ｖｔは、吹出穴１０からの距離が遠くなるにつれて、無数の横渦が合成して発達し、空気を引き込み作用が強くなっていく。これにより、作動気流Ｗａｆは風速が低下していく。
【００５３】
ここで、吹出穴１０の出口下流には、吹出穴１０を中心に、気流の乱れが少なく、気流速度や気流圧力が安定している領域となるポテンシャルコアＰが発生する。ポテンシャルコアＰは周囲の空気の影響を受け難い領域である。そのため、作動気流Ｗａｆは、ポテンシャルコアＰの中では風速が低下し難く、最も到達距離が長くなる。
【００５４】
ここで、ポテンシャルコアＰは、作動気流Ｗａｆの流れ方向に対して直交方向の断面形状が吹出穴１０から離れるにつれて小さくなっていく。また、吹出穴１０の形状が扁平形状の場合、ポテンシャルコアＰは、当該断面形状が作動気流Ｗａｆの流れ下流に向かって扁平形状からその扁平形状の中心に向かって円形状へと収束していく。
【００５５】
これに対して、吹出穴１０の出口下流に発生する複数の横渦Ｖｔは、吹出穴１０の内壁面１１０に沿って発生するため、複数の横渦Ｖｔは吹出穴１０の形状に近い扁平形状に広がる。よって、短縁部１０４の出口下流に発生する横渦Ｖｔは、長縁部１０２の出口下流に発生する横渦Ｖｔと比較して、ポテンシャルコアＰから離れた位置に発生する。
【００５６】
本発明者らは、長縁部１０２の出口下流に発生する横渦Ｖｔに、横渦Ｖｔとは渦特性が異なる補助渦Ｖｓを、渦特性が異なる状態で衝突させることで、作動気流Ｗａｆの到達距離を長くすることができると考えた。そこで、本発明者らは、複数の補助穴２０２を長縁部１０２の縁側に偏って形成することとした。
【００５７】
本実施形態では、吹出穴１０の開口形状が扁平形状であるため、短縁部１０４の出口下流に発生する横渦Ｖｔは、長縁部１０２の出口下流に発生する横渦Ｖｔと比較して、作動気流ＷａｆのポテンシャルコアＰから離れた位置に発生する。そのため、短縁部１０４の出口下流に発生する横渦Ｖｔは、長縁部１０２の出口下流に発生する横渦Ｖｔと比較して、作動気流Ｗａｆの到達距離へ及ぼす影響が小さい。
【００５８】
複数の補助穴２０２は、一対の長縁部１０２の縁側に偏って形成されている。そして、当該補助穴２０２の出口下流に発生する補助渦Ｖｓは、一対の長縁部１０２の出口下流に発生する横渦Ｖｔと渦の回転方向が異なる状態で衝突する。作動気流Ｗａｆの到達距離へ及ぼす影響が大きい横渦Ｖｔが補助渦Ｖｓに衝突すると、当該横渦Ｖｔが大きく乱れることで、横渦Ｖｔの合成が生じ難くなる。この結果、作動気流Ｗａｆにおける空気の引き作用が抑えられるので、作動気流Ｗａｆは到達距離が長くなる。
【００５９】
ここで、横渦Ｖｔが補助渦Ｖｓに衝突すると、横渦Ｖｔおよび補助渦Ｖｓの衝突により空力騒音が生じる。本実施形態において、複数の補助穴２０２の数は、第１実施形態と比較して、一対の短縁部１０４の縁側が少なく形成されている。そのため、吹出穴１０の周縁部１００の全体に沿って形成される場合と比較して、横渦Ｖｔおよび補助渦Ｖｓの衝突を抑制できる。その結果、作動気流Ｗａｆの到達距離を長くしつつ、横渦Ｖｔおよび補助渦Ｖｓの衝突により生じる空力騒音を低減できる。
【００６０】
（第２実施形態の変形例）
上述の第２実施形態では、形状や大きさが同様である補助穴２０２が、長縁部１０２の縁側に偏って形成されている例について説明したが、これに限定されない。例えば、一対の短縁部１０４の縁側に比べて、一対の長縁部１０２の縁側で補助渦Ｖｓが発生し易くなるように、短縁部１０４の縁側に形成される補助穴２０２は、長縁部１０２の縁側に形成される補助穴２０２と形状や大きさが異なってもよい。具体的には、短縁部１０４の縁側に形成される補助穴２０２は、長縁部１０２の縁側に形成される補助穴２０２と比べて、一方が大きく、他方が小さく形成されるものや、一方が円形状で形成され、他方が多角形状で形成されるものでもよい。
【００６１】
補助穴２０２の形状や大きさによって、補助穴２０２の出口下流に発生する横渦Ｖｔの渦特性は異なる。このため、補助穴２０２の形状や大きさは、空気吹出装置１の使用用途などに応じて適宜設定することが望ましい。
【００６２】
（第３実施形態）
次に、第３実施形態について、図１１〜図１６を参照して説明する。本実施形態では、複数の補助穴２０２が長縁部１０２の縁側に形成され、一対の短縁部１０４の縁側には形成されていない点で第２実施形態と相違している。本実施形態では、第２実施形態と異なる部分について主に説明し、第２実施形態と同様の部分については説明を省略することがある。
【００６３】
具体的には、図１１および図１２に示すように、複数の補助穴２０２は、一対の短縁部１０４の縁側に沿っては形成されておらず、一対の長縁部１０２の縁側に沿ってのみ形成されている。
【００６４】
本実施形態では、長縁部１０２の出口下流に発生する横渦Ｖｔに、一対の長縁部１０２に沿って発生する補助渦Ｖｓを衝突させることで、長縁部１０２の出口下流に発生する横渦Ｖｔの発達を抑制することができる。
【００６５】
ここで、図１３は、一対の短縁部１０４の縁側に沿って補助穴２０２が形成されている場合および形成されていない場合について、作動気流Ｗａｆの到達率を示す。図１３の左グラフは、補助穴２０２が形成されている場合の作動気流Ｗａｆの到達率を示し、図１３の右グラフは、補助穴２０２が形成されていない場合の作動気流Ｗａｆの到達率を示す。図１３に示すように、補助穴２０２が、一対の短縁部１０４の縁側に沿って形成されている場合と形成されていない場合とでは、同程度の作動気流Ｗａｆの到達率が得られる。
【００６６】
また、図１４は、一対の短縁部１０４の縁側に沿って補助穴２０２が形成されている場合および形成されていない場合について、横渦Ｖｔおよび補助渦Ｖｓの衝突により生じる空力騒音を示す。図１４の左グラフは、補助穴２０２が形成されている場合の空力騒音を示し、図１４の右グラフは、補助穴２０２が形成されていない場合の空力騒音を示す。図１４に示すように、補助穴２０２が、一対の短縁部１０４の縁側に沿って形成されていない場合、補助穴２０２が形成される場合と比較して空力騒音を低減できる。
【００６７】
ここで、インストルメントパネルは、車室内の拡大や意匠性の観点で小型化が要求されている。また、インストルメントパネルは、車両幅方向の中央部分や車両前後方向において搭乗者に相対する部分に、車両状態や等を表示するための大型の情報機器が設置される傾向がある。これらにより、吹出穴１０を薄幅にする等の対策が必要となる。
【００６８】
本実施形態によれば、補助穴２０２は、一対の短縁部１０４の縁側に沿っては形成されない。そのため、穴形成部１２において、一対の短縁部１０４の縁側は、補助穴２０２を形成するための形成部分が不要となる。その結果、穴形成部１２やダクト部１４は、第１実施形態や第２実施形態よりも小さく形成することができ、空気吹出装置１の設置自由度、搭載自由度の向上効果を得ることができる。
【００６９】
（第３実施形態の変形例）
上述の第３実施形態では、補助穴２０２の形状について、円形状に形成されている例について説明したが、これに限定されない。例えば、図１５の第１変形例に示すように、補助穴２０２の形状は、スリット状に形成されていてもよい。
【００７０】
また、上述の第３実施形態では、吹出穴１０の開口形状について、短軸Ｓｓの方向において直線状に延びる一対の長縁部１０２と、長軸Ｌｓの方向において円弧状に延びる一対の短縁部１０４がと連なって形成されている例について説明したが、これに限定されない。例えば、図１６の第２変形例に示すように、吹出穴１０の開口形状は、短軸Ｓｓ方向において延びる一対の長縁部１０２と、長軸Ｌｓ方向において延びる一対の短縁部１０４とがすべて直線で連なって長方形状に形成されていてもよい。
【００７１】
（第４実施形態）
次に、第４実施形態について、図１７〜図２２を参照して説明する。本実施形態では、渦発生構造２０が、穴形成部１２のうち吹出穴１０を含む周縁部１００に沿って、凹部２０６と凸部２０８とが交互に並ぶ構造になっている点で第１実施形態と相違している。本実施形態では、第１実施形態と異なる部分について主に説明し、第１実施形態と同様の部分については説明を省略することがある。
【００７２】
図１７および図１８に示すように、渦発生構造２０は、穴形成部１２のうち吹出穴１０を含む周縁部１００に沿って凹部２０６と凸部２０８とが交互に並ぶ複数の凹凸部２０４で形成されている。また、吹出穴１０の開口形状は、短軸Ｓｓの方向に延びる一対の鋸歯形状の長縁部１０２と、長軸Ｌｓの方向において円弧状に延びる一対の短縁部１０４とが連なって形成されている扁平な形状である。ここで、鋸歯形状とは、複数の三角形の底辺を連続させて並べた形状である。
【００７３】
具体的には、三角形は１つの底辺と２つの等辺を有する略二等辺三角形であって、底辺を長縁部１０２に沿って隙間なく並べた形状である。また、略二等辺三角形の頂点は、一対の長縁部１０２において、対向する長縁部１０２の略二等辺三角形の頂点に向けて突出して形成されている。各略二等辺三角形の面積は、吹出穴１０から吹き出す作動気流Ｗａｆの流れの妨げにならないように、吹出穴１０の開口部の面積に比べて小さいものである。
【００７４】
また、複数の凹凸部２０４は一対の短縁部１０４の縁側に沿っては形成されておらず、一対の長縁部１０２の縁側に沿ってのみ形成されている。
【００７５】
なお、複数の凹凸部２０４は、長縁部１０２に加えて、短縁部１０４に沿って形成されていてもよい。
【００７６】
吹出穴１０の断面について、図１９を参照して説明する。図１９に示すように、複数の凹凸部２０４は、空気流れ方向に厚みを有する板状で構成されている。つまり、複数の凹凸部２０４は、その断面であったときに、長方形状を有している。
【００７７】
また、複数の凹凸部２０４は、空気流れ下流側の板面が、穴形成部１２のうち周縁部１００を形成する部位の空気流れ下流側の端面と面一になっている。換言すれば、複数の凹凸部２０４は、空気流れ下流側の板面が、穴形成部１２のうち吹出穴１０が開口する端面と面一になっている。
【００７８】
第４実施形態に係る空気吹出装置１の吹出穴１０の出口下流における作動気流Ｗａｆ、横渦Ｖｔ、補助渦Ｖｓそれぞれの状態を図２０〜図２２を参照して説明する。
【００７９】
本実施形態の空気吹出装置１では、空調ユニットで温度調整された空調風がダクト部１４に流入されると、空調風は、流路１８を介して吹出穴１０に流れる。
【００８０】
図２０に示すように、吹出穴１０から作動気流Ｗａｆが吹き出されると、速度境界層ＢＬが形成される。これにより、吹出穴１０の出口下流に無数の横渦Ｖｔが発生する。
【００８１】
図２１に示すように、吹出穴１０の出口下流に発生する無数の横渦Ｖｔは、作動気流Ｗａｆの流れ方向に交差する渦軸を有し、作動気流Ｗａｆの流れ方向と同じ方向であって、吹出穴１０の内側から外側に向かう回転方向を有する。
【００８２】
また、略二等辺三角形状の複数の凹凸部２０４の隙間から作動気流Ｗａｆが吹き出されると、複数の凹凸部２０４の空気流れ下流側に無数の補助渦Ｖｓが発生する。
【００８３】
図２２に示すように、無数の補助渦Ｖｓは、略二等辺三角形状の複数の凹凸部２０４の空気流れ下流側であって、略二等辺三角形のそれぞれの等辺側に発生する。この補助渦Ｖｓは、略二等辺三角形の等辺に直交する渦軸を有する。また、略二等辺三角形のそれぞれの等辺側に発生する補助渦Ｖｓの渦の回転方向は、互いに逆方向である。つまり、無数に発生する補助渦Ｖｓは、横渦Ｖｔと渦特性のうち少なくとも渦の回転方向および渦軸の方向が異なる。
【００８４】
このため、凹凸部２０４の出口下流である吹出穴１０の出口下流では、横渦Ｖｔに、横渦Ｖｔとは渦の回転方向および渦軸およびの方向が異なる補助渦Ｖｓが衝突する。横渦Ｖｔおよび補助渦Ｖｓが衝突すると、横渦Ｖｔが大きく乱れることで、横渦Ｖｔの合成が生じ難くなる。すなわち、吹出穴１０の出口下流に発生する横渦Ｖｔの発達が抑制される。この結果、作動気流Ｗａｆにおける空気の引き込み作用が抑えられるので、作動気流Ｗａｆは到達距離が長くなる。
【００８５】
また、本実施形態では、複数の凹凸部２０４は、一対の短縁部１０４の縁側に沿っては形成されておらず、一対の長縁部１０２の縁側に沿ってのみ形成されている。そのため、周縁部１００の全体に沿って複数の凹凸部２０４が形成される場合と比較して、横渦Ｖｔおよび補助渦Ｖｓの衝突を抑制できる。これにより、作動気流Ｗａｆの到達距離を長くしつつ、横渦Ｖｔおよび補助渦Ｖｓの衝突により生じる空力騒音を低減できる。
【００８６】
また、本実施形態では、複数の凹凸部２０４は、一対の長縁部１０２の縁側に沿ってのみ形成されているため、一対の短縁部１０４の縁側は、凹凸部２０４を形成するための形成部分が不要となる。これにより、穴形成部１２やダクト部１４は、周縁部１００の全体に沿って複数の凹凸部２０４が形成される場合と比較して、小さく形成することができ、空気吹出装置１の設置自由度、搭載自由度の向上効果を得ることができる。
【００８７】
また、複数の凹凸部２０４は、空気流れ方向に厚みを有する板状で構成されている。これにより、例えば複数の凹凸部２０４がフランジ部４０まで延伸するように形成されている場合などと比較して、凹凸部２０４の間を気流が通過する際に補助渦Ｖｓが発生しやすくなる。これにより、作動気流Ｗａｆに引き込まれる空気の引き込み作用が抑制され、作動気流Ｗａｆは到達距離が長くなる。
【００８８】
また、複数の凹凸部２０４は、空気流れ下流側の板面が、穴形成部１２における周縁部１００を形成する部位の空気流れ下流側の端面と面一になっている。これによると、凹凸部２０４によって補助渦を発生させる位置が、穴形成部１２における横渦が生じ始める位置と接近し、補助渦Ｖｓが横渦Ｖｔに衝突し易くなるので、横渦Ｖｔの発達を充分に抑制することができる。
【００８９】
（第４実施形態の変形例）
上述の第４実施形態では、複数の凹凸部２０４の形状について、略二等辺三角形を連続させて並べた鋸歯形状に形成されている例について説明したが、これに限定されない。例えば、図２３の第１変形例に示すように、複数の凹凸部２０４の形状は、矩形状に形成されてもよい。また、図２４の第２変形例に示すように、複数の凹凸部２０４の形状は、円弧状に形成されてもよい。また、図２５の第３変形例に示すように、複数の凹凸部２０４の形状は、波状に形成されてもよい。また、複数の凹凸部２０４の形状は、略正三角形状や略直角三角形状で形成されてもよい。その他に、複数の凹凸部２０４の形状は、三角形状、矩形状、円弧状、波形状などを組み合わせて形成されてもよい。また、凹部２０６と凸部２０８が一定の隙間を有しながら並んで形成されてもよい。
【００９０】
また、上述の第４実施形態では、複数の凹凸部２０４について、略二等辺三角形の頂点が、対向する長縁部１０２の略二等辺三角形の頂点に向けて突出して形成されている例について説明したが、これに限定されない。例えば、図２６の第４変形例に示すように、略二等辺三角形の頂点が、ダクト部１４の内部であって空気流れ上流方向に向けて突出して形成されていてもよい。具体的には、第４変形例の断面について図２７に示すように、複数の凹凸部２０４は、ダクト部１４の空気流れ上流方向に傾いて形成されていてもよい。また、図２８の第５変形例に示すように、略二等辺三角形の頂点が、ダクト部１４の外部であって空気流れ下流方向に向けて突出して形成されていてもよい。具体的には、第５変形例の断面について図２９に示すように、複数の凹凸部２０４は、ダクト部１４の空気流れ下流方向に傾いて形成されていてもよい。
【００９１】
また、上述の第４実施形態では、複数の凹凸部２０４の形状について、板状に形成されている例について説明したが、これに限定されない。例えば、複数の凹凸部２０４の吹出穴１０の開口側における形状が三角形状であれば、穴形成部１２の内側部分の形状は三角錐や三角柱の形状などで、穴形成部１２の端部から空気流れ上流に向かって、ダクト部１４部の内部を延伸して形成されてもよい。
【００９２】
また、複数の凹凸部２０４の形状について、吹出穴１０の内側に向けて突出して形成されている例について説明したが、これに限定されない。複数の凹凸部２０４は、吹出穴１０の周縁部１００から吹出穴１０の外側に向けて窪んで形成されたものや、複数の凹凸部２０４が吹出穴１０の内側に突出したものと外側に窪んだものとが交互に並んで形成されたものでもよい。
【００９３】
また、上述の第４実施形態では、渦発生構造２０について、複数の凹凸部２０４で構成される例について説明したが、これに限定されない。渦発生構造２０は、複数の凹凸部２０４に加えて、第１実施形態で例示した複数の補助穴２０２を含んで構成されていてもよい。
【００９４】
（第５実施形態）
次に、第５実施形態について、図３０、図３１を参照して説明する。本実施形態では、渦発生構造２０が、複数の渦発生体２２を含む構造になっている点が第１実施形態と相違している。本実施形態では、第１実施形態と異なる部分について主に説明し、第１実施形態と同様の部分については説明を省略することがある。
【００９５】
図３０に示すように、渦発生構造２０は、穴形成部１２のうち吹出穴１０を含む周縁部１００に沿って並んで配置された複数の渦発生体２２で形成されている。また、吹出穴１０の開口形状は、扁平な形状であって、直線状に延びる一対の長縁部１０２と、円弧状に延びる一対の短縁部１０４とが連なって形成されている。
【００９６】
複数の渦発生体２２は、吹出穴１０の開口方向から見た形状が円形状となる円盤状の部材で構成されている。複数の渦発生体２２は、吹出穴１０の内側において、等間隔をあけて吹出穴１０を含む周縁部１００に沿って並んで配置されている。複数の渦発生体２２は、吹出穴１０から吹き出す作動気流Ｗａｆの流れの妨げにならないように、吹出穴１０の開口部の面積に比べて小さい面積になっている。なお、複数の渦発生体２２は、吹出穴１０の内側において、不等な間隔をあけて吹出穴１０を含む周縁部１００に沿って並んで配置されていてもよい。
【００９７】
複数の渦発生体２２は、周縁部１００に対して直に接しないように、吹出穴１０の内側において、吹出穴１０の開口方向と直交する所定の方向に延びる支持部２３によって支持されている。具体的には、複数の渦発生体２２は、それぞれ周縁部１００から内側に向けて突き出る棒状の支持部２３の先端部分に接続されている。
【００９８】
また、複数の渦発生体２２は、一対の短縁部１０４の縁側よりも一対の長縁部１０２の縁側に偏って配置されている。具体的には、複数の渦発生体２２は、一対の短縁部１０４の縁側に沿って配置されておらず、一対の長縁部１０２の縁側に沿って配置されている。なお、複数の渦発生体２２は、長縁部１０２に加えて、短縁部１０４に沿って形成されていてもよい。
【００９９】
図３１に示すように、複数の渦発生体２２は、吹出穴１０の開口方向に厚みを有する板状部材で構成されている。具体的には、複数の渦発生体２２は、図３２に示すように、吹出穴１０の開口方向から見た形状が円形状となり、且つ、吹出穴１０の開口方向に直交する方向から見た形状が四角形状となる円盤状の部材で構成されている。
【０１００】
また、複数の渦発生体２２は、空気流れ下流側の板面が、穴形成部１２のうち周縁部１００を形成する部位の空気流れ下流側の端面と面一になっている。換言すれば、複数の渦発生体２２は、空気流れ下流側の板面が、穴形成部１２のうち吹出穴１０が開口する端面と面一になっている。
【０１０１】
このように構成される空気吹出装置１では、空調ユニットで温度調整された空調風がダクト部１４に流入すると、空調風が流路１８を介して吹出穴１０に流れる。そして、吹出穴１０から作動気流Ｗａｆが吹き出されると、吹出穴１０の出口下流に無数の横渦Ｖｔが発生する。
【０１０２】
本実施形態の空気吹出装置１は、吹出穴１０の内側に複数の渦発生体２２が配置されている。このため、流路１８を介して吹出穴１０に流れる空調風の一部は、複数の渦発生体２２の周囲を通過した後に室内に吹き出される。空調風が複数の渦発生体２２の周囲を通過する際には、渦発生体２２の板面に沿って流れる気流が外縁から剥離することで、様々な渦軸を有する全周剥離渦が生ずる。これにより、図３３に示すように、複数の渦発生体２２の空気流れ下流側に無数の補助渦Ｖｓが発生する。補助渦Ｖｓは、渦発生体２２の空気流れ下流側に発生する。なお、補助渦Ｖｓは、横渦Ｖｔと渦特性のうち少なくとも渦の回転方向および渦軸の方向が異なる。
【０１０３】
このため、吹出穴１０の出口下流では、横渦Ｖｔに、横渦Ｖｔとは渦の回転方向および渦軸およびの方向が異なる補助渦Ｖｓが衝突する。横渦Ｖｔおよび補助渦Ｖｓが衝突すると、横渦Ｖｔが大きく乱れることで、横渦Ｖｔの合成が生じ難くなる。すなわち、吹出穴１０の出口下流に発生する横渦Ｖｔの発達が抑制される。この結果、作動気流Ｗａｆにおける空気の引き込み作用が抑えられるので、作動気流Ｗａｆは到達距離が長くなる。
【０１０４】
また、複数の渦発生体２２は、一対の長縁部１０２の縁側に沿って配置され、一対の短縁部１０４の縁側に配置されていない。このため、周縁部１００の全体に沿って複数の渦発生体２２が形成される場合と比較して、横渦Ｖｔおよび補助渦Ｖｓの衝突を抑制できる。これにより、横渦Ｖｔおよび補助渦Ｖｓの衝突により生じる空力騒音を低減できる。また、複数の渦発生体２２の追加に伴う吹出穴１０の開口面積の減少を抑えることができる。
【０１０５】
ここで、渦発生体２２を周縁部１００に対して直に形成すると、渦発生体２２と周縁部１００とが直に接する部位では気流が生じないので、補助渦Ｖｓを発生させることができない。
【０１０６】
これに対して、本実施形態の複数の渦発生体２２は、周縁部１００に対して直に接しないように、吹出穴１０の内側において吹出穴１０の開口方向と直交する所定の方向に延びる支持部２３によって支持されている。このように、渦発生体２２を支持部２３で支持する構成とすれば、渦発生体２２を周縁部１００から離間させることができる。これにより、渦発生体２２の外周縁の略全域で補助渦Ｖｓを発生させることが可能となる。このため、仮に、渦発生体２２と周縁部１００との間に横渦Ｖｔが生じたとしても、渦発生体２２の外周縁で生ずる補助渦Ｖｓによって、横渦Ｖｔの発達を抑制することができる。
【０１０７】
また、複数の渦発生体２２は、吹出穴１０の開口方向に厚みを有する板状部材で構成されている。これによると、渦発生体２２の間を気流が通過する際に補助渦Ｖｓが発生し易くなる。この結果、補助渦Ｖｓが横渦Ｖｔに衝突し易くなることで、横渦Ｖｔの発達を充分に抑制することができる。
【０１０８】
特に、複数の渦発生体２２は、空気流れ下流側の板面が、穴形成部１２における周縁部１００を形成する部位の空気流れ下流側の端面と面一になっている。これによると、渦発生体２２によって補助渦Ｖｓを発生させる位置が、穴形成部１２における横渦が生じ始める位置と接近し、補助渦Ｖｓが横渦Ｖｔに衝突し易くなるので、横渦Ｖｔの発達を充分に抑制することができる。
【０１０９】
（第５実施形態の変形例）
上述の第５実施形態では、複数の渦発生体２２が周縁部１００から内側に向けて突き出る棒状の支持部２３の先端部分に接続されているものを例示したが、これに限定されない。複数の渦発生体２２は、例えば、図３４および図３５の第１変形例に示すように、ダクト部１４のうち流路１８を形成する内壁面から吹出穴１０に向かって延びるＬ字状の支持部２３によって支持されていてもよい。
【０１１０】
上述の第５実施形態では、複数の渦発生体２２それぞれが別個の支持部２３で支持されているものを例示したが、これに限定されない。複数の渦発生体２２は、例えば、図３６の第２変形例に示すように、少なくとも一部が、一対の長縁部１０２の延在方向に沿って延びる支持部２３によって支持されていてもよい。
【０１１１】
また、複数の渦発生体２２は、例えば、図３７の第３変形例に示すように、少なくとも一部が、一対の長縁部１０２の延在方向に直交する方向に延びる支持部２３によって支持されていてもよい。
【０１１２】
図３８および図３９の第４変形例に示すように、吹出穴１０の内側または流路１８に対して風向または風量を調整するためのルーバ２４が配置されている場合、当該ルーバ２４に対して複数の渦発生体２２が支持される構成になっていてもよい。この場合、ルーバ２４が複数の渦発生体２２を支持する支持部を構成する。これによれば、ルーバ２４の姿勢を変更して風向等を変化させたとしても、それに追従して複数の渦発生体２２の姿勢を変化させることができる。すなわち、専用の機構を設けることなく、風向変化に合わせて複数の渦発生体２２の姿勢を変化させることが可能となる。
【０１１３】
上述の第５実施形態では、複数の渦発生体２２が、吹出穴１０の開口方向に厚みを有する板状部材で構成され、その板面が、穴形成部１２のうち吹出穴１０が開口する端面と面一になっているものを例示したが、これに限定されない。すなわち、複数の渦発生体２２が板状部材で構成されている場合であっても、その板面が、穴形成部１２のうち吹出穴１０が開口する端面と面一になっていなくてもよい。また、複数の渦発生体２２は、図４０の第５変形例に示すように、吹出穴１０の開口方向に並んで配置されていてもよい。この場合、複数の渦発生体２２は、吹出穴１０の開口方向において互いに重なり合うように配置されていてもよいし、互いに重なり合わないように配置されていてもよい。
【０１１４】
上述の第５実施形態では、複数の渦発生体２２が吹出穴１０の開口方向から見た形状が円形状となる円盤状の部材で構成されているものを例示したが、これに限定されない。複数の渦発生体２２は、例えば、複数の渦発生体２２が吹出穴１０の開口方向から見た形状が楕円や多角形状となる部材で構成されていてもよい。また、複数の渦発生体２２は、例えば、吹出穴１０の開口方向に直交する方向から見た形状が円形状、円錐形状、多角形状となる部材で構成されていてもよい。
【０１１５】
例えば、複数の渦発生体２２は、図４１の第１変形例で示すように、球体２２１で構成されていてもよい。また、複数の渦発生体２２は、図４２の第２変形例で示す八面体２２２、図４３の第３変形例で示す六面体２２３等の多面体で構成されていてもよい。さらに、複数の渦発生体２２は、図４４の第４変形例で示すように、メッシュ状に形成された網状体２２４で構成されていてもよい。
【０１１６】
上述の第５実施形態では、渦発生構造２０について、複数の渦発生体２２で構成される例について説明したが、これに限定されない。渦発生構造２０は、複数の渦発生体２２に加えて、複数の補助穴２０２および複数の凹凸部２０４の少なくとも一方を含んで構成されていてもよい。
【０１１７】
（第６実施形態）
次に、第６実施形態について、図４５を参照して説明する。本実施形態の空気吹出装置１は、吹出穴１０の開口形状が第３実施形態と異なっている。本実施形態では、第３実施形態と異なる部分について主に説明し、第３実施形態と同様の部分については説明を省略することがある。
【０１１８】
図４５に示すように、吹出穴１０は、一対の長縁部１０２を構成する第１縁部１０２ａおよび第２縁部１０２ｂと、一対の短縁部１０４を構成する第３縁部１０４ａおよび第４縁部１０４ｂで構成されている。
【０１１９】
第１縁部１０２ａおよび第２縁部１０２ｂは、互いの間隔が長軸Ｌｓの方向において異なっている。すなわち、第１縁部１０２ａおよび第２縁部１０２ｂは、長軸Ｌｓの方向の中央部分における間隔が、長軸Ｌｓの方向の両端部における間隔よりも小さくなるように湾曲している。
【０１２０】
一方、第３縁部１０４ａおよび第４縁部１０４ｂは、短軸Ｓｓの方向の中央部分における間隔が、短軸Ｓｓの方向の両端部における間隔よりも大きくなるように湾曲している。なお、第３縁部１０４ａおよび第４縁部１０４ｂは、縁に沿う長さが第１縁部１０２ａおよび第２縁部１０２ｂよりも短くなるとともに、第１縁部１０２ａと第２縁部１０２ｂとの間隔よりも大きい間隔で対向している。
【０１２１】
第３縁部１０４ａは、第１縁部１０２ａおよび第２縁部１０２ｂとの接続部分が丸みを有するように、第１縁部１０２ａおよび第２縁部１０２ｂの一端に接続されている。同様に、第４縁部１０４ｂは、第１縁部１０２ａおよび第２縁部１０２ｂとの接続部分が丸みを有するように、第１縁部１０２ａおよび第２縁部１０２ｂの他端に接続されている。
【０１２２】
このように構成される吹出穴１０は、長円形状に対して歪な形状となるものの、第１縁部１０２ａおよび第２縁部１０２ｂと第３縁部１０４ａおよび第４縁部１０４ｂとの接続部分が丸みを有している。このため、吹出穴１０に角部が含まれるものに比べて、吹出穴１０の出口下流付近での横渦の発達が抑制され易くなる。
【０１２３】
（第６実施形態の変形例）
上述の第６実施形態では、第１縁部１０２ａおよび第２縁部１０２ｂの中央部分における間隔が、長軸Ｌｓの方向の両端部の間隔よりも小さくなるように湾曲している吹出穴１０を例示したが、これに限定されない。
【０１２４】
例えば、図４６の第１変形例に示すように、吹出穴１０の第１縁部１０２ａおよび第２縁部１０２ｂは、長軸Ｌｓの方向の中央部分における間隔が、長軸Ｌｓの方向の両端部における間隔よりも大きくなるように湾曲していてもよい。
【０１２５】
また、例えば、図４７の第２変形例に示すように、吹出穴１０の第１縁部１０２ａおよび第２縁部１０２ｂは、長軸Ｌｓの方向の一端側における間隔が、長軸Ｌｓの方向の他端側における間隔よりも大きくなるように湾曲していてもよい。
【０１２６】
また、例えば、図４８の第３変形例に示すように、吹出穴１０は、第１縁部１０２ａおよび第２縁部１０２ｂそれぞれが同じ方向に湾曲することで、第１縁部１０２ａおよび第２縁部１０２ｂの間隔が一定に維持されていてもよい。
【０１２７】
また、例えば、図４９の第４変形例に示すように、吹出穴１０は、第１縁部１０２ａおよび第２縁部１０２ｂそれぞれが同じ方向に屈折することで、第１縁部１０２ａおよび第２縁部１０２ｂの間隔が一定に維持されていてもよい。
【０１２８】
また、例えば、図５０の第５変形例に示すように、吹出穴１０は、第１縁部１０２ａおよび第２縁部１０２ｂに対して互いに遠ざかるように窪んだ窪部１０２ｃ、１０２ｄが設けられていてもよい。
【０１２９】
また、例えば、図５１の第６変形例に示すように、吹出穴１０は、第１縁部１０２ａおよび第２縁部１０２ｂに対して互いに近付くように突き出た突出部１０２ｅ、１０２ｆが設けられていてもよい。
【０１３０】
ここで、上記した各変形例は、吹出穴１０の開口形状の一部を例示したものであり、吹出穴１０の開口形状として、上記したもの以外の形状が採用されていてもよい。
【０１３１】
また、第６実施形態およびその変形例では、渦発生構造２０が複数の補助穴２０２で構成される空気吹出装置１における吹出穴１０の開口形状を例示したが、これに限定されない。第６実施形態およびその変形例で示した吹出穴１０の開口形状は、渦発生構造２０が複数の凹凸部２０４、複数の渦発生体２２で構成される空気吹出装置１にも適用可能である。
（他の実施形態）
以上、本開示の代表的な実施形態について説明したが、本開示は、上述の実施形態に限定されることなく、例えば、以下のように種々変形可能である。
【０１３２】
上述の実施形態では、補助穴２０２の形状について、円形状に形成されている例について説明したが、これに限定されない。例えば、補助穴２０２の形状は、楕円形状や多角形状に形成されていてもよい。その他に、第３実施形態の第１変形例で示したように、補助穴２０２の形状は、スリット状に形成されていてもよい。
【０１３３】
また、上述の実施形態では、吹出穴１０の開口形状について、直線状の一対の長縁部１０２と、円弧状の一対の短縁部１０４とが連なって形成されている例について説明したが、これに限定されない。例えば、吹出穴１０の開口形状は、円弧状の一対の長縁部１０２と、直線状の一対の短縁部１０４とが連なって形成されていてもよい。また、第３実施形態の第２変形例で示したように、直線状の一対の長縁部１０２および直線状の一対の短縁部１０４で構成される長方形状に形成されていてもよい。
【０１３４】
また、上述の実施形態では、吹出穴１０の形状は扁平形状で形成されている例について説明したが、これに限定されない。例えば、吹出穴１０の開口形状は、円形状、楕円形状、多角形状に形成されていてもよい。
【０１３５】
上述の実施形態において、実施形態を構成する要素は、特に必須であると明示した場合および原理的に明らかに必須であると考えられる場合等を除き、必ずしも必須のものではないことは言うまでもない。
【０１３６】
上述の実施形態において、実施形態の構成要素の個数、数値、量、範囲等の数値が言及されている場合、特に必須であると明示した場合および原理的に明らかに特定の数に限定される場合等を除き、その特定の数に限定されない。
【０１３７】
上述の実施形態において、構成要素等の形状、位置関係等に言及するときは、特に明示した場合および原理的に特定の形状、位置関係等に限定される場合等を除き、その形状、位置関係等に限定されない。
【０１３８】
（まとめ）
上述の実施形態の一部または全部で示された第１の観点によれば、空気吹出装置は、作動気流を通過させるための流路を形成するダクト部と、ダクト部の空気流れ下流側に作動気流の吹出口となる吹出穴を形成する穴形成部を備える。この穴形成部は、横渦とは渦の回転方向および渦軸の方向を含む渦特性が異なる補助渦を発生させる渦発生構造を有する。
この渦発生構造は、補助渦が渦の回転方向および渦軸の方向の少なくとも一方が横渦と異なる渦特性を有する状態で、横渦に衝突するように穴形成部に形成されている。
【０１３９】
第２の観点によれば、渦発生構造は、吹出穴を囲む周縁部に沿って並んで形成される複数の補助穴を含み、複数の補助穴から吹き出される気流によって、横渦とは少なくとも渦の回転方向の異なる補助渦が発生する構造になっている。この構造により発生する補助渦を横渦に衝突させることで、横渦の発達を抑制することができる。これにより、吹出穴から吹き出される作動気流に引き込まれる空気の引き込み作用が抑制され、吹出穴から吹き出される作動気流は到達距離が長くなる。
【０１４０】
第３の観点によれば、周縁部は、所定の間隔をあけた状態で対向して延びる第１縁部および第２縁部と、第１縁部および第２縁部それぞれの一端同士を接続する第３縁部と、第１縁部および第２縁部それぞれの他端同士を接続する第４縁部とを有する。第１縁部および第２縁部は、第３縁部と第４縁部との間隔よりも小さい間隔で対向する一対の長縁部を構成している。第３縁部および第４縁部は、第１縁部と第２縁部との間隔よりも大きい間隔で対向する一対の短縁部を構成している。複数の補助穴は、周縁部のうち、一対の長縁部の縁側に比べて、一対の短縁部の縁側で複数の補助渦が発生し難くなるように、一対の長縁部の縁側に偏って形成されている。これによると、補助穴が吹出穴の周縁部全体に沿って形成される場合と比較して、横渦および補助渦の衝突を抑制できるので、作動気流の到達距離を長くしつつ、横渦および補助渦の衝突により生じる空力騒音を低減できる。
【０１４１】
第４の観点によれば、吹出穴は扁平な開口形状を有し、吹出穴の周縁部は、一対の長縁部と、一対の長縁部に連なる一対の短縁部を含んでおり、複数の補助穴は、一対の長縁部の縁側に偏って形成されている。これにより、補助穴が吹出穴の周縁部全体に沿って形成される場合と比較して、横渦および補助渦の衝突を抑制できる。その結果、作動気流の到達距離を長くしつつ、横渦および補助渦の衝突により生じる空力騒音を低減できる。
【０１４２】
第５の観点によれば、複数の補助穴は、一対の長縁部の縁側に形成され、一対の短縁部の縁側に形成されていない。これにより、穴形成部においては、一対の短縁部の縁側は補助穴を形成するための形成部分が不要となる。その結果、作動気流の到達距離を長くしつつ、空力騒音を低減し、穴形成部を小さくすることができ、空気吹出装置の設置自由度、搭載自由度の向上効果を得ることができる。
【０１４３】
第６の観点によれば、渦発生構造は、吹出穴を含む周縁部に沿って、凹部と凸部とが交互に並んで形成される複数の凹凸部を含み、凹凸部の間を気流が通過する際に、横渦とは渦の回転方向および渦軸の向きの異なる補助渦が発生する構造になっている。この構造により発生する補助渦を、作動気流を大きく崩壊させる横渦に衝突させることで、横渦の発達を抑制することができる。これにより、吹出穴から吹き出される作動気流に引き込まれる空気の引き込み作用が抑制され、吹出穴から吹き出される作動気流は到達距離が長くなる。
【０１４４】
第７の観点によれば、周縁部は、所定の間隔をあけた状態で対向して延びる第１縁部および第２縁部と、第１縁部および第２縁部それぞれの一端同士を接続する第３縁部と、第１縁部および第２縁部それぞれの他端同士を接続する第４縁部とを有する。第１縁部および第２縁部は、第３縁部と第４縁部との間隔よりも小さい間隔で対向する一対の長縁部を構成している。第３縁部および第４縁部は、第１縁部と第２縁部との間隔よりも大きい間隔で対向する一対の短縁部を構成している。複数の凹凸部は、周縁部のうち、一対の長縁部の縁側に比べて、一対の短縁部の縁側で複数の補助渦が発生し難くなるように、一対の長縁部の縁側に偏って形成されている。これによると、凹凸部が吹出穴の周縁部全体に沿って形成される場合と比較して、横渦および補助渦の衝突を抑制できるので、作動気流の到達距離を長くしつつ、横渦および補助渦の衝突により生じる空力騒音を低減できる。
【０１４５】
第８の観点によれば、吹出穴は扁平な開口形状を有し、吹出穴の周縁部は、一対の長縁部と、一対の長縁部に連なる一対の短縁部を含んでおり、複数の凹凸部は、一対の長縁部の縁側に偏って形成されている。これにより、凹凸部が吹出穴の周縁部全体に沿って形成される場合と比較して、横渦および補助渦の衝突を抑制できる。その結果、作動気流の到達距離を長くしつつ、横渦および補助渦の衝突により生じる空力騒音を低減できる。
【０１４６】
第９の観点によれば、複数の凹凸部は、一対の長縁部の縁側に形成され、一対の短縁部の縁側に形成されていない。これにより、穴形成部においては、一対の短縁部の縁側は凹凸部を形成するための形成部分が不要となる。その結果、作動気流の到達距離を長くしつつ、空力騒音を低減し、穴形成部を小さくすることができ、空気吹出装置の設置自由度、搭載自由度の向上効果を得ることができる。
【０１４７】
第１０の観点によれば、複数の凹凸部は、空気流れ方向に厚みを有する板状で構成されている。これにより、複数の凹凸部がフランジ部まで延伸するように形成されている場合などと比較して、凹凸部の間を気流が通過する際に補助渦が発生しやすくなる。これにより、吹出穴から吹き出される作動気流に引き込まれる空気の引き込み作用が抑制され、吹出穴から吹き出される作動気流の到達距離が長くなる。
【０１４８】
第１１の観点によれば、複数の凹凸部は、空気流れ下流側の板面が、穴形成部における周縁部を形成する部位の空気流れ下流側の端面と面一になっている。これによると、凹凸部によって補助渦を発生させる位置が、穴形成部における横渦が生じ始める位置と接近し、補助渦が横渦に衝突し易くなるので、横渦の発達を充分に抑制することができる。
【０１４９】
第１２の観点によれば、渦発生構造は、穴形成部のうち吹出穴を囲む周縁部に沿って並んで配置される複数の渦発生体を含んでいる。渦発生構造は、渦発生体の周囲を気流が通過する際に、渦の回転方向および渦軸の方向の少なくとも一方が横渦とは異なる前記補助渦が発生する構造になっている。この構造により発生する補助渦を、作動気流を大きく崩壊させる横渦に衝突させることで、横渦の発達を抑制することができる。これにより、吹出穴から吹き出される作動気流に引き込まれる空気の引き込み作用が抑制され、吹出穴から吹き出される作動気流は到達距離が長くなる。
【０１５０】
第１３の観点によれば、複数の渦発生体は、周縁部に対して直に接しないように、吹出穴の内側において支持部によって支持されている。このように、渦発生体を支持部で支持する構成とすれば、渦発生体を周縁部から離間させることができる。これにより、渦発生体と周縁部との間でも補助渦を発生させることが可能となるので、渦発生体と周縁部との間に横渦が生じたとしても当該横渦の発達を抑制することができる。
【０１５１】
第１４の観点によれば、周縁部は、所定の間隔をあけた状態で対向して延びる第１縁部および第２縁部と、第１縁部および第２縁部それぞれの一端同士を接続する第３縁部と、第１縁部および第２縁部それぞれの他端同士を接続する第４縁部とを有する。第１縁部および第２縁部は、第３縁部と第４縁部との間隔よりも小さい間隔で対向する一対の長縁部を構成している。第３縁部および第４縁部は、第１縁部と第２縁部との間隔よりも大きい間隔で対向する一対の短縁部を構成している。複数の渦発生体は、周縁部のうち、一対の長縁部の縁側に比べて、一対の短縁部の縁側で複数の補助渦が発生し難くなるように、一対の長縁部の縁側に偏って形成されている。これによると、渦発生体が吹出穴の周縁部全体に沿って形成される場合と比較して、横渦および補助渦の衝突を抑制できるので、作動気流の到達距離を長くしつつ、横渦および補助渦の衝突により生じる空力騒音を低減できる。
【０１５２】
第１５の観点によれば、複数の渦発生体は、一対の長縁部の縁側に形成され、一対の短縁部の縁側に形成されていない。これによれば、複数の渦発生体の追加に伴う吹出穴の開口面積の減少を抑えることができる。
【０１５３】
第１６の観点によれば、複数の渦発生体は、吹出穴の開口方向に厚みを有する板状部材で構成されている。これによると、渦発生体の間を気流が通過する際に補助渦が発生し易くなる。この結果、補助渦が横渦に衝突し易くなることで、横渦の発達を充分に抑制することができる。なお、開口方向とは、吹出穴の縁部で囲まれる面の法線方向である。
【０１５４】
第１７の観点によれば、複数の渦発生体は、空気流れ下流側の板面が、穴形成部における周縁部を形成する部位の空気流れ下流側の端面と面一になっている。これによると、渦発生体によって補助渦を発生させる位置が、穴形成部における横渦が生じ始める位置と接近し、補助渦が横渦に衝突し易くなるので、横渦の発達を充分に抑制することができる。
【符号の説明】
【０１５５】
１０      吹出穴
１２      穴形成部
１４      ダクト部
１８      流路
２０      渦発生構造
【図１】
2020067267.tif 000003
【図２】
2020067267.tif 000004
【図３】
2020067267.tif 000005
【図４】
2020067267.tif 000006
【図５】
2020067267.tif 000007
【図６】
2020067267.tif 000008
【図７】
2020067267.tif 000009
【図８】
2020067267.tif 000010
【図９】
2020067267.tif 000011
【図１０】
2020067267.tif 000012
【図１１】
2020067267.tif 000013
【図１２】
2020067267.tif 000014
【図１３】
2020067267.tif 000015
【図１４】
2020067267.tif 000016
【図１５】
2020067267.tif 000017
【図１６】
2020067267.tif 000018
【図１７】
2020067267.tif 000019
【図１８】
2020067267.tif 000020
【図１９】
2020067267.tif 000021
【図２０】
2020067267.tif 000022
【図２１】
2020067267.tif 000023
【図２２】
2020067267.tif 000024
【図２３】
2020067267.tif 000025
【図２４】
2020067267.tif 000026
【図２５】
2020067267.tif 000027
【図２６】
2020067267.tif 000028
【図２７】
2020067267.tif 000029
【図２８】
2020067267.tif 000030
【図２９】
2020067267.tif 000031
【図３０】
2020067267.tif 000032
【図３１】
2020067267.tif 000033
【図３２】
2020067267.tif 000034
【図３３】
2020067267.tif 000035
【図３４】
2020067267.tif 000036
【図３５】
2020067267.tif 000037
【図３６】
2020067267.tif 000038
【図３７】
2020067267.tif 000039
【図３８】
2020067267.tif 000040
【図３９】
2020067267.tif 000041
【図４０】
2020067267.tif 000042
【図４１】
2020067267.tif 000043
【図４２】
2020067267.tif 000044
【図４３】
2020067267.tif 000045
【図４４】
2020067267.tif 000046
【図４５】
2020067267.tif 000047
【図４６】
2020067267.tif 000048
【図４７】
2020067267.tif 000049
【図４８】
2020067267.tif 000050
【図４９】
2020067267.tif 000051
【図５０】
2020067267.tif 000052
【図５１】
2020067267.tif 000053